(57)【要約】本発明は本発明の支持装置が埋め込まれる壁面と完全に面が共有される位置にある外側カバー（５）あるいは仕上げプレート（４）が含まれる電気あるいは電子構成部品用の壁面埋込み取付台支持装置に関する。【選択図】図１
2007525935.tif 000002
【特許請求の範囲】
【請求項１】
壁面埋込み箱（１）、部品保持プレート（３）および部品保持プレート（３）の前面に貼付けられる仕上げプレート（４）が含まれ、箱（１）ならびにプレート（３）が正確に収納されるよう適合されると同時に該プレート（３）が箱（１）に取付けられるために用いられる手段（２ｃ，６）および部品保持プレート（３）に該箱（１）が取付けられるために用いられる手段（２ｅ，８）が設けられるプレート（３）との間に箱形状軸つば（２）が含まれることを特徴とするタイプの電気あるいは電子部品用壁面埋込み取付け支持装置。
【請求項２】
箱形状軸つば（２）にその箱（１）への取付け位置が調整されるために用いられる手段（２ｄ，７）が設けられることを特徴とする請求項１に記載の電気あるいは電子部品用壁面埋込み取付け支持装置。
【請求項３】
箱形状軸つば（２）が箱（１）に取付けられるために用いられる手段（２ｃ，６）に、軸つば（２）の背面開口部の内側位置に向かい合う少なくとも１対の舌部（２ｂ）が含まれるとともに、関連するネジ釘（６）が挿入されるために用いられる中央細長横溝（２ｃ）が設けられ、その各々が箱（１）の開口部の内部に設けられるネジ山の切られた穴（１ａ）と噛合することを特徴とする請求項１に記載の電気あるいは電子部品用壁面埋込み取付け支持装置。
【請求項４】
調整手段（２ｄ，７）が舌部（２ｂ）の背後にある箱（１）の内側開口部に舌部（１ｃ）の付いた細長横溝（２ｃ）をまたぐ１対のネジ山が切られた穴（２ｄ）に噛合する１対の調整止めネジ（７）から構成されることを特徴とする請求項１から請求項３までのいずれかに記載の電気あるいは電子部品用壁面埋込み取付け支持装置。
【請求項５】
部品保持プレート（３）に、前記部品（Ｃ）が正確に収納され、その本体はプレート（３）の背後に残るよう適合される窓（４ａ）とともに、金属プレート（４）を噛合させるために用いられる磁気インサート（３ｄ）が設けられるとともに、その前面縁がプレート（４）と面が揃うプレート（３）の細長横溝（３ｂ）から外側に突き出ることを特徴とする請求項１から請求項４までのいずれかに記載の電気あるいは電子部品用壁面埋込み取付け支持装置。
【請求項６】
箱形状軸つば（２）を部品保持プレート（３）に取付けるために用いられる手段（２ｅ，８）が、箱形状軸つば（２）の背面開口部の内側位置にあるネジ山が切られた管状要素（２ｅ）に噛合する該プレート（３）上の適切な穴（３ａ）に挿入されるネジ釘（８）からなることを特徴とする請求項１から請求項５までのいずれかに記載の電気あるいは電子部品用壁面埋込み取付け支持装置。
【請求項７】
箱形状軸つば（２）が前面縁（２ａ）と面が同じ箱形状軸つば（２）の前面開口部の内側に完全に埋込められると同時に位置するように大きさが決められるカバー（５）が使用されて前面で閉じられることを特徴とする請求項１から請求項６までのいずれかに記載の電気あるいは電子部品用壁面埋込み取付け支持装置。
【請求項８】
カバー（５）に箱形状軸つば（２）の前面開口部の鉛直側面にある２ヶ所の穴（２ｆ）に挿入されるよう適合される横方向位置に２本の同軸で向かい合うピン（５ａ）が設けられることを特徴とする請求項７に記載の装置。
【請求項９】
箱形状軸つば（２）とプレート（３）の間に位置すると同時に、軸つば（２）の前面開口部と面が完全に揃う適切な仕上げプレート（４）と共に該プレート（３）が保持されるために、軸つば（２）の内側に納められるのに適切な中間骨組（９）が含まれることを特徴とする請求項１から請求項６までの１つまたはそれ以上の請求項に記載の電気あるいは電子部品用壁面埋込み取付け支持装置。
【請求項１０】
中間骨組（９）が４辺の垂直縁（９ａ）、およびプレート（３）が取付けられるとともにに箱形状軸つば（２）のネジ山付き管状要素（２ｅ）と噛合するネジ釘（８）が挿入されるために用いられる４ヶ所の隅角部の管状部品（９ｂ）から構成されることを特徴とする請求項９に記載の電気あるいは電子部品用壁面埋込み取付け支持装置。
【請求項１１】
軸つば（２）の収納が正確に可能であるように大きさが決められる同じ高さの４面の垂直壁面軸から形成される箱形状板からなる相補軸つば（２０）が含まれて、その前面縁（２ａ）が相補軸つば（２０）の縁（２０ａ）と面が揃い、背面開口部に少なくとも１対の対向する外側耳部（２０ｂ）を有していて、そのそれぞれに相補軸つば（２０）が箱（１）に取付けられるために用いられるネジ釘（６０）が通される中央細長横溝（２０ｃ）が設けられ、該箱には該ネジ釘（６０）が受入れられるために適合される適切なネジ山が切られた穴（１０ａ）があることを特徴とする請求項１から請求項６までの１つまたはそれ以上の請求項に記載の電気あるいは電子部品用壁面埋込み取付け支持装置。
【請求項１２】
相補軸つば（２０）に、箱（１）の外側開口部に位置する適当な舌部（１０ｃ）によって保持される２本の調整止めネジ（７０）の噛合に用いられる細長横溝（２０ｃ）に関して横方向の位置にある２ヶ所の穴（２０ｄ）があることを特徴とする請求項１１に記載の電気あるいは電子部品用壁面埋込み取付け支持装置。
【請求項１３】
相補軸つば（２０）の前面縁（２０ａ）が板から作られる外側翼部（２１）の折り込み線と一致することを特徴とする請求項１１に記載の電気あるいは電子部品用壁面埋込み取付け支持装置。
【発明の詳細な説明】
【技術分野】
【０００１】
本特許申請は、例えば、制御スイッチ、電気ソケット、サーモスタット、非常用照明等の電気設備に一般に使用されるタイプの電気あるいは電子構成部品用の壁面埋込み取付台支持装置に関する。
【背景技術】
【０００２】
前記部品を収納しかつ支持するために現在用いられる本装置は、溝付きの電気設備配線の受入れ壁面埋込み箱にネジ留めされるプレート（以降、「部品保持プレート」と定義される）によって支持される部品に応じて標準化された構造を特徴とする。
【０００３】
前記箱はプラスチック材料製であるとともに部品本体が実際上保護箱内部に含まれる前記電気あるいは電子部品の端子盤まで配線されなくてはならない電気配線が通されるために容易に移動可能である適当に脆くした円状領域が設けられる。
【０００４】
最初にも述べたように、部品保持プレートはこれを開口部が基本的に壁面に対して共有平面であるように壁面に埋め込まれた後、箱の前面開口部にネジ留めされる。
【０００５】
上記に照らして、電気あるいは電子部品の前面は適当な制御手段あるいは電気ソケットの近傍の部品保持プレートの前面で目に見えて残る。
【０００６】
審美的理由のため、部品保持プレートは、１ヶ所以上の窓が付いた制御手段あるいは電気ソケットを正確に収納する外側仕上げプレートで覆われると同時に隠される。
【発明の開示】
【０００７】
仕上げプレートおよび部品保持プレートの多様なデザインにかかわらず、入手可能な型式品のすべてにおいて、部品の前面および関連する骨組プレートが取付け壁面から突き出て、カモフラージュあるいは隠すことの不可能な突出する部品により壁面のきれいなデザインが台無しにされることが目立っている点が指摘されなくてはならない。
【０００８】
この理由のため、これらの支持装置は、取付けをより簡単で魅力的にすることが可能である新たな外形形状が求められるとともに、部屋あるいは家具の構造への視覚的な衝撃が減らされるよう試みた設計者の注意を引いた。
【０００９】
前述の考慮により、審美的な美しさと同時に、前面カバーが壁面と完全に面が揃うという事実のおかげで、カモフラージュされ壁の連続面との一体化も可能なことを特徴とする電気あるいは電子部品向けの新たな支持装置のデザインにつながったものである。
【００１０】
前記前面カバーは仕上げプレートからなり、これは電気あるいは電子部品の前面壁面が正確に収納可能である１ヶ所以上の窓付きの完全に滑らかなプレートによって代表される。
【００１１】
本発明の代替実施例によると、前面カバーは仕上げプレートで裏の区画を覆う完全に滑らかなプレートから作られる蓋によって代表される。
【００１２】
いずれの場合にも、壁面と面が揃う支持装置の前面カバーの取付けが可能であることは部屋と装置の完全な一体化に好都合であり、これにより装置上の塵や汚れの蓄積が避けられる。
【００１３】
本発明の装置には、箱の内側に正確に収納される部品保持プレート用の締結部品として働く従来の壁面埋込み箱に正面で固定される箱形の軸つばが含まれる。
【００１４】
箱形状軸つばは４面の垂直壁から構成され、その前面縁は壁面こすり落としのための参照面として作用し、その面が箱形状の軸つばの前面縁と面が完全に揃うように壁面にしっくいが塗られることになる。
【００１５】
本発明の装置部品はいずれも箱形状の軸つばの前面の４つの縁がのる平面に関して突き出ないので、前面仕上げプレートあるいは前面カバーが完全に納められる。
【００１６】
箱形状軸つばには、また、箱が埋め込まれる壁面と軸つば前面縁の完全な面の共有性が確保されるため箱に関するその締結位置の調整に利用される手段が設けられる。
【００１７】
箱形状軸つばの寸法は部品保持プレートの正確な収納が可能であるように決定され、このプレートは箱形状軸つばの内側および底に位置する適切なネジ山の切られた管状の筺体に噛合するネジ釘によって箱形状軸つばの内部に永続的に固定される。
【００１８】
適切な仕上げプレートが設けられる部品保持プレートは、従って、壁面に関して後方位置にあり、さらに所望される場合には、箱形状軸つばの開口部に位置する折りたたみ可能な蓋によって隠されることが可能で、壁面と完全に面が揃う。
【００１９】
あるいは、適切な仕上げプレートが設けられる部品保持プレートは、前方に移動すると同時に、プレートと軸つばのその他のネジ山付きの管状部品との間に位置する中間骨組によって箱形状軸つばの前面開口部と面が揃えられて維持可能である。
【００２０】
部品保持箱の固定位置（すなわち、前方あるいは後方位置）に応じて、箱形状軸つばの前面縁は折りたたみ可能な蓋用あるいは部品保持プレートの仕上げプレートの保護用の骨組として働く。
【発明を実施するための最良の形態】
【００２１】
更に明確にするため、本発明による装置の説明は例示だけの目的でかつ非限定的な意味で意図される以下の図面の参照とともになされる。
【実施例１】
【００２２】
図１に示される本発明による好ましい実施例によると、本発明の装置には箱（１）、箱形状軸つば（２）、部品保持プレート（３）、仕上げプレート（４）および前面カバー（５）が含まれる。
【００２３】
箱（１）の底面と側面が電気あるいは電子部品の電源供給に使用される電気配線が通されるために撤去が可能である適当に脆くした領域（１ｂ）を特徴とする。
【００２４】
箱形状軸つば（２）は同じ高さの４面の垂直面から構成されるとともに、前面縁（２ａ）によって壁面の境界が区切られる前面開口部および前記壁面の後面縁によって区切られる後面開口部をもつ。
【００２５】
後面開口部は箱（１）に軸つば（２）が固定されるために使用されるネジ釘（６）が通される中央細長横溝（２ｃ）が設けられる内面耳部（２ｂ）を特徴とし、該箱にはネジ釘（６）に適合される適切なネジ山付きの穴（１ａ）が設けられる。
【００２６】
２ヶ所のネジ山付き穴（２ｄ）は、たとえ固定箱（１）が埋め込まれていなくても箱形状軸つば（２）に壁面と完全に直角な位置を与えるために、箱（１）に関する箱形状軸つば（２）の取付け位置の微調整を可能にする２つの調整止めネジ（７）と噛合させるために使用される穴（２ｃ）に関する横方向の場所に位置する。
【００２７】
舌部（１ｃ）が箱の開口部に位置し、調整止めネジ（７）用の軸つば（２）の後面開口部にある耳部（２ｂ）の後面と噛合する。
【００２８】
箱形状軸つば（２）の後面開口部には四隅に、部品保持プレート（３）の取付けネジ釘（８）を噛合して用いられる内部にネジ山が切られた管状部品（２ｅ）がある。
【００２９】
部品保持プレートに取り付けネジ釘（８）が受入れられるネジ山付きの管状部品（２ｅ）と連携する穴（３ａ）が実際に設けられる。
【００３０】
部品保持プレート（３）には、電気あるいは電子部品（Ｃ）が噛合されるために用いられる穴（３ｂ）もまた設けられ、その部品前面の面が穴（３ｂ）に関して少しだけ突出する位置に設けられる一方、構成部品本体がプレート（３）の背後に突き出る。
【００３１】
さらに正確には、すべての部品（Ｃ）の内側面が穴（３ｂ）からプレート（４）までに等しい距離だけ突出することによって、プレート（４）の外側面と部品（Ｃ）との間で完全な共有面が確保される。
【００３２】
図面においては、プレート（３）は２個の電気ソケット（Ｃ）用の支持材として働く。
【００３３】
プレート（３）は箱形状軸つば（２）の内側に完全に納まることが可能であるように寸法が決められる。
【００３４】
図面に示される本発明の実施例では、プレート（３）には、金属プレート（４）を完全に平面で平滑なプレートと噛合させるよう適合させられた磁気インサート（３ｄ）が設けられ、プレート（４）の外側面と面が完全に揃う位置にあるソケット（Ｃ）が正確に収納される２ヶ所の窓（４ａ）がある。
【００３５】
プレート（４）は箱形状軸つば（２）の前面開口部に関して後方位置に保たれ、その前面縁（２ａ）が壁面こすり落とし用の参照点として用いられて、その表面は縁（２ａ）と完全に面が揃う。
【００３６】
上記に照らして、仕上げプレート（４）は完全に四角い窪みの底に落ち着き、その開口部は箱形状軸つば（２）の前面開口部と一致するとともに壁面と面が完全に揃う。
【００３７】
必要ならば、窪み部は箱形状軸つば（２）内部に、そしてさらに正確には軸つば（２）の前面開口部内部に埋込みられかつ位置するようカバー（５）が利用されて前面で閉じられることができ、その結果、カバー（５）の外側面は軸つばの４ヶ所の前面縁（２ａ）と完全に面が揃う。
【００３８】
カバー（５）には箱形状軸つば（２）の前面開口部の鉛直縁にある内側位置の２ヶ所の穴（２ｆ）に挿入される２本の同軸で向かい合うピン（５ａ）が横方向に設けられ、カバー（５）の基部の中央位置にある切り欠き（５ｂ）によってこれを外側の方に持ち上げることによってカバー（５）を開けることができることが明らかである。
【実施例２】
【００３９】
図２には本発明による構造の代替実施例が示され、カバー（５）が設けられておらず、かつプレート（４）がカバー（５）と同じ位置の前方位置で組立てられる点だけが上記で説明された実施例と異なる。
【００４０】
この実施例にはプレート（４）の前方位置が確保されるために部品保持プレート（３）と箱形状軸つば（２）の間に位置する中間骨組（９）が含まれる。
【００４１】
中間骨組（９）は４辺の垂直縁（９ａ）および箱形状軸つば（２）のネジ山が切られた管状部品（２ｅ）と噛合するネジ釘（８）の挿入に用いられる４ヶ所の隅の管状部品（９ｂ）から構成される。
【実施例３】
【００４２】
図３には本発明による構造の第３かつ最後の実施例が示され、この図では、軸つば（２）が正確に収納可能であるように大きさが決められる相補軸つば（２０）が含まれ、その前面縁（２ａ）は同じ高さの垂直な４面を伴う箱形状軸つばからなる相補軸つば（２０）の縁（２０ａ）と面が揃う点が前述の実施例と異なる。
【００４３】
相補軸つば（２０）の後方開口部は、相補軸つば（２０）が箱（１）に固定されるために用いられるネジ釘（６０）が通される中央細長横溝（２０ｃ）が設けられた外側耳部（２０ｂ）を特徴とし、該箱にはネジ釘（６０）のための適当にネジの切られた穴（１０ａ）がある。
【００４４】
２ヶ所のネジが切られた穴（２０ｄ）は、仮に埋め込み固定箱（１）が無い場合でも相補軸つば（２０）に壁面と完全に垂直な位置が与えられるために、箱（１）に関する相補軸つば（２０）の固定位置の微調整を可能にする２個の調整止めネジ（７０）の噛合に用いられる細長横溝（２０ｃ）に関して横方向に位置する。
【００４５】
外側舌部（１０ｃ）は箱（１）の開口部に位置して、調整止めネジ（７０）用の相補軸つば（２０）の背面開口部に位置する耳部（２０ｂ）の背後と噛合する。
【００４６】
ネジが切られた穴（１０ａ）は箱（１）の開口部に関して外側位置に位置して、該箱には軸つば（２）が固定されるために用いられるネジ釘（６）用の内側にネジが切られた穴（１ａ）がある。
【００４７】
本発明の第３実施例は、縁部が、面がこすれる壁面に関して参照部として働く場合に、軸つば（２）の前面縁（２ａ）が引っ掻き傷かあるいは壁面がこすれる際の表面摩耗を受けやすくなり得ることが意識されて設計された。
【００４８】
この種の不都合を最小にするため、本発明の最初の２実施例で用いられる軸つば（２）は、相当な生産コストを生じても、アルミニウムあるいはスチール製であることが好ましい。
【００４９】
逆に、壁面が箱形状の板構造のため非常に低価格である相補軸つばの場合には、参照部として相補軸つば（２０）の前面縁（２０ａ）が利用されて壁はこすれるので、本発明の第３実施例に用いられる軸つば（２）は極めてコスト効率が良くプラスチックの成型部品である。
【００５０】
図面に例示されるように、前面縁（２０ａ）は相補軸つば（２０）と同じ板でできた外側翼部（２１）の折り込み線と一致する。
【００５１】
言い換えると、相補軸つば（２０）は箱（１）の開口部に取付けられるとともに、相補軸つば（２０）が完全に埋め込まれるために壁面には漆喰が塗られ、その相補軸つばの縁（２０ａ）は縁（２０ａ）と完全に面の揃った壁面が得られるための壁面こすれ用の参照部として使用可能である。
【００５２】
組み立て工事が完了した時点で、軸つば（２）は相補軸つば（２０）の内部に正確に噛合するとともに、ネジ釘（６）が利用されて相補軸つば（２０）背後の箱（１）に取付けられる。
【００５３】
その後、プレート（３）は軸つば（２）内部に挿入されるとともにそれぞれ図３および図４、ならびに図７および図８に示されるようにネジ釘（８）が利用されて、オプション骨組（９）と一緒に取付けられる。
【図面の簡単な説明】
【００５４】
【図１】壁面が同じ前面蓋を伴う実施例における本発明の装置の分解軸測投像図である。
【図２】壁面と同じ位置の仕上げプレートの保持に用いられる中間骨組を伴う実施例における本発明の装置の分解軸測投像図である。
【図３】図１に示される前面カバーに関する前述の軸つばが収納されるのに用いられる相補軸つばを伴う別の実施例における本発明の装置の分解軸測投像図である。
【図４】装置に図１に示される中間骨組が設けられる一方で前面カバーが設けられないという点を除いて図３と同様の図である。
【図５】組立後の図１の装置の図である。
【図６】組立後の図２の装置の図である。
【図７】組立後の図３の装置の図である。
【図８】組立後の図４の装置の図である。
【図１】
2007525935.tif 000003
【図２】
2007525935.tif 000004
【図３】
2007525935.tif 000005
【図４】
2007525935.tif 000006
【図５】
2007525935.tif 000007
【図６】
2007525935.tif 000008
【図７】
2007525935.tif 000009
【図８】
2007525935.tif 000010
【手続補正書】
【提出日】平成17年10月20日(2005.10.20)
【手続補正１】
【補正対象書類名】特許請求の範囲
【補正対象項目名】請求項１
【補正方法】変更
【補正の内容】
【請求項１】
壁面埋込み箱（１）、箱形状軸つば（２）、部品保持プレート（３）および部品保持プレート（３）の前面に貼付けられる仕上げプレート（４）が含まれ、該箱形状軸つば（２）が該プレート（３）を収納し、各仕上げプレート（４）と共にプレート（３）を支持するように適合され、それにより該仕上げプレート（４）の外部表面と該部品（Ｃ）の外部表面が前面縁（２ａ）から突き出ず、直線状で滑らかな外形を有し、装置が取り付けられる際には壁面擦り落としの参照点として作用し、表面は前面縁（２ａ）と完全に同一平面をとり、また該箱形状軸つば（２）は、該軸つば（２）を後方の箱（１）に取り付けるための手段（２ｃ，６）と該プレート（３）を箱形状軸つば（２）内部に取り付けるための手段（２ｅ，８）を採用することを特徴とするタイプの電気あるいは電子部品（Ｃ）用壁面埋込み取付け支持装置。
【手続補正２】
【補正対象書類名】明細書
【補正対象項目名】０００８
【補正方法】変更
【補正の内容】
【０００８】
この理由のため、これらの支持装置は、取付けをより簡単で魅力的にすることが可能である新たな外形形状が求められるとともに、部屋あるいは家具の構造への視覚的な衝撃が減らされるよう試みた設計者の注意を引いた。
米国特許公開No. US2003/0089710 A1では、単一の埋め込み面板が挿入される電気ボックスに関する記述があり、該面板により、電気ボックスに取り付けられる電気部品の外部表面と面板の前方に配置されるフランジ間の距離の調節が可能になる。
該面板は、前壁面と後壁面にぴったりと密着しているフランジからなり、該電気部品の収容のための開口部を有する後壁面に取り付けられ前方に突き出ている内部面の手段により前壁面と後壁面は互いに連結されており、電気部品の外部表面は該開口部にぴったりと密着している。
該前方フランジの裏面は、ボックスの取り付け面に接触するように設計される。
該前方フランジは、それ自身を完全に覆い隠すスライド式カバーを有してもよい。
これは該カバーもまた、ボックスの取り付け面から突き出ることを意味する。
さらに、カバーの存在はボックスの取り付け面から突き出る面板部のサイズを増加させる。
【国際調査報告】
2007525935.tif 000011
2007525935.tif 000012